(57)【要約】【課題】  広告・宣伝効果が極めて高くなる広告情報の表示を行なうこと。【解決手段】  コンテンツを表示する第１の表示部と、機能情報を表示する第２の表示部と、前記第２の表示部に表示される機能情報に対応付けられ、操作されると前記機能を発揮する機能ボタンを含む、複数の操作ボタンを有する操作部と、広告情報、および前記広告情報に関連付けられたページのＵＲＬを記憶する記憶部と、無線通信を行なう通信部と、を備え、前記第２の表示部に前記機能情報に代えて前記広告情報を表示し、前記機能ボタンが操作されたときに、前記通信部が前記広告情報に関連付けられたページのＵＲＬを前記記憶部から読み出して、そのＵＲＬにより指定されたページを取得し、前記取得したページを前記第１の表示部に表示する。【選択図】  図１
2005167878.tif 000002
【特許請求の範囲】
【請求項１】
コンテンツを表示する第１の表示部と、
機能情報を表示する第２の表示部と、
前記第２の表示部に表示される機能情報に対応付けられ、操作されると前記機能を発揮する機能ボタンを含む、複数の操作ボタンを有する操作部と、
広告情報、および前記広告情報に関連付けられたページのＵＲＬを記憶する記憶部と、
無線通信を行なう通信部と、を備え、
前記第２の表示部に前記機能情報に代えて前記広告情報を表示し、
前記機能ボタンが操作されたときに、前記通信部が前記広告情報に関連付けられたページのＵＲＬを前記記憶部から読み出して、そのＵＲＬにより指定されたページを取得し、
前記取得したページを前記第１の表示部に表示することを特徴とする携帯端末装置。
【請求項２】
前記記憶部は、複数種類の広告情報、および前記各広告情報にそれぞれ関連付けられたページのＵＲＬを記憶し、
前記第２の表示部は、前記機能情報に代えて、前記記憶部に記憶されている各広告情報を一定の時間間隔をおいて一つずつ順に表示し、
前記第２の表示部がいずれか一つの広告情報を表示している最中に前記機能ボタンが操作されたときに、前記通信部が前記第２の表示部に表示されている広告情報に関連付けられたページのＵＲＬを前記記憶部から読み出して、そのＵＲＬにより指定されたページを取得し、
前記取得したページを前記第１の表示部に表示することを特徴とする請求項１記載の携帯端末装置。
【請求項３】
前記記憶部は、複数種類の広告情報、および前記各広告情報にそれぞれ関連付けられたページのＵＲＬを記憶し、
前記操作部は、前記複数種類の広告情報のうちいずれか一つの広告情報を選択する選択ボタンを有し、
前記第２の表示部は、前記機能情報に代えて、前記選択された広告情報を表示し、
前記機能ボタンが操作されたときに、前記通信部が前記選択された広告情報に関連付けられたページのＵＲＬを前記記憶部から読み出して、そのＵＲＬにより指定されたページを取得し、
前記取得したページを前記第１の表示部に表示することを特徴とする請求項１記載の携帯端末装置。
【発明の詳細な説明】
【技術分野】
【０００１】
本発明は、広告情報を表示可能な携帯端末装置に関する。
【背景技術】
【０００２】
従来から良く知られている携帯電話機は、液晶で構成された画像表示部を有している。その画像表示部には各種のコンテンツを表示する領域と共に、その携帯電話機の機能情報を表示する領域が設けられている。この機能情報は、特定の操作ボタンに対応付けられており、ユーザーがその操作ボタンを操作すると、その携帯電話機の機能が発揮される。例えば、「次のページに移動する」、「前のページに戻る」、または「メニューのうちいずれか一つの項目を決定する」といった機能情報が表示され、それらの機能情報に特定のボタンが対応付けられている。そして、ユーザーがそのボタンを操作するとそのボタンに対応する機能、例えば、「次のページに移動する」という機能が実現されるのである。
【０００３】
また、従来、例えば、特開２０００−２６８０９０号公報には、携帯電話機能を備えたモバイル端末を用いた広告配信システムが開示されている。この広告配信システムは、広告データ記憶手段、表示手段、表示制御手段、広告認知検知手段、広告認知情報記憶手段、および携帯電話通信手段を有するモバイル端末と、ユーザーデータベース、広告データベース、広告配信手段、広告認知情報処理手段、広告認知情報データベース、および通信手段を有する管理センターとから構成されている。
【０００４】
上記の管理センターにおいては、広告配信手段が、ユーザーデータベースの各ユーザーの属性を参照して各ユーザーに配信すべき広告データを広告データベースから検索し、それらの広告データを、通信手段を介して各ユーザーのモバイル端末に送信する。
【０００５】
一方、広告データを受信したモバイル端末においては、その広告データ記憶手段が、受信した広告データを記憶し、表示制御手段が、広告データ記憶手段から広告データを取得して所定の表示制御方法で表示手段に広告を表示させる。そして、ユーザーが、広告認知ボタンを押した場合には、広告認知検知手段がその信号を検知して広告認知情報として広告認知情報記憶手段に蓄積する。携帯電話通信手段が、所定の時点またはモバイル端末の所定の操作により広告認知情報記憶手段に蓄積された広告認知情報を管理センターに送信し、広告認知情報を受信した管理センターにおいては、広告認知情報データベースが、各ユーザーの広告認知情報を記憶管理し、広告認知情報処理手段が、集計を含む広告認知情報のデータ処理を行って出力する。
【特許文献１】特開２０００−２６８０９０号公報
【発明の開示】
【発明が解決しようとする課題】
【０００６】
しかしながら、従来の携帯電話機では、機能情報を表示する領域は、その携帯電話機が有する特定の機能を発揮するためにのみ用いられていたため、限られた画面を有効に利用するためには必ずしも得策ではなかった。すなわち、機能情報はその携帯電話機に必須の機能を表示するものであるため、常にユーザーの目に触れるように表示されるものであるが、この機能情報を表示する領域に広告情報を表示することによって、常に広告情報がユーザーの目に触れることとなって、極めて高い広告効果を奏することが予想される。
【０００７】
本発明は、このような事情に鑑みてなされたものであり、広告・宣伝効果が極めて高くなる広告情報の表示を行なうことができる携帯端末装置を提供することを目的とする。
【課題を解決するための手段】
【０００８】
（１）本発明の携帯端末装置は、コンテンツを表示する第１の表示部と、機能情報を表示する第２の表示部と、前記第２の表示部に表示される機能情報に対応付けられ、操作されると前記機能を発揮する機能ボタンを含む、複数の操作ボタンを有する操作部と、広告情報、および前記広告情報に関連付けられたページのＵＲＬを記憶する記憶部と、無線通信を行なう通信部と、を備え、前記第２の表示部に前記機能情報に代えて前記広告情報を表示し、前記機能ボタンが操作されたときに、前記通信部が前記広告情報に関連付けられたページのＵＲＬを前記記憶部から読み出して、そのＵＲＬにより指定されたページを取得し、前記取得したページを前記第１の表示部に表示することを特徴としている。
【０００９】
このように、第２の表示部に、機能情報に代えて広告情報を表示するので、常に広告情報がユーザーの目に触れることとなる。そして、機能ボタンが操作されたときに、広告情報に関連付けられたページのＵＲＬを記憶部から読み出して、そのＵＲＬにより指定されたページを取得し、取得したページを第１の表示部に表示するので、その広告情報に関連するページを容易に表示することが可能となる。これにより、ユーザーに対して容易に広告情報に関連するページを閲覧させることができる。その結果、広告・宣伝効果を高めることが可能となる。
【００１０】
（２）また、本発明の携帯端末装置は、前記記憶部は、複数種類の広告情報、および前記各広告情報にそれぞれ関連付けられたページのＵＲＬを記憶し、前記第２の表示部は、前記機能情報に代えて、前記記憶部に記憶されている各広告情報を一定の時間間隔をおいて一つずつ順に表示し、前記第２の表示部がいずれか一つの広告情報を表示している最中に前記機能ボタンが操作されたときに、前記通信部が前記第２の表示部に表示されている広告情報に関連付けられたページのＵＲＬを前記記憶部から読み出して、そのＵＲＬにより指定されたページを取得し、前記取得したページを前記第１の表示部に表示することを特徴としている。
【００１１】
このように、機能情報に代えて、記憶部に記憶されている各広告情報を一定の時間間隔をおいて一つずつ順に表示するので、多くの広告情報を表示することが可能となる。また、いずれか一つの広告情報を表示している最中に前記機能ボタンが操作されたときに、第２の表示部に表示されている広告情報に関連付けられたページのＵＲＬを記憶部から読み出して、そのＵＲＬにより指定されたページを取得し、取得したページを前記第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【００１２】
（３）また、本発明の携帯端末装置は、前記記憶部は、複数種類の広告情報、および前記各広告情報にそれぞれ関連付けられたページのＵＲＬを記憶し、前記操作部は、前記複数種類の広告情報のうちいずれか一つの広告情報を選択する選択ボタンを有し、前記第２の表示部は、前記機能情報に代えて、前記選択された広告情報を表示し、前記機能ボタンが操作されたときに、前記通信部が前記選択された広告情報に関連付けられたページのＵＲＬを前記記憶部から読み出して、そのＵＲＬにより指定されたページを取得し、前記取得したページを前記第１の表示部に表示することを特徴としている。
【００１３】
このように、選択ボタンにより複数種類の広告情報のうちいずれか一つの広告情報が選択されるとその選択された広告情報が表示されるので、ユーザーが希望する広告情報を表示することができる。そして、機能ボタンが操作されたときに、選択された広告情報に関連付けられたページのＵＲＬを記憶部から読み出して、そのＵＲＬにより指定されたページを取得し、取得したページを第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【発明の効果】
【００１４】
本発明の携帯端末装置によれば、第２の表示部に、機能情報に代えて広告情報を表示するので、常に広告情報がユーザーの目に触れることとなる。そして、機能ボタンが操作されたときに、広告情報に関連付けられたページのＵＲＬを記憶部から読み出して、そのＵＲＬにより指定されたページを取得し、取得したページを第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【００１５】
また、本発明の携帯端末装置によれば、機能情報に代えて、記憶部に記憶されている各広告情報を一定の時間間隔をおいて一つずつ順に表示するので、多くの広告情報を表示することが可能となる。また、いずれか一つの広告情報を表示している最中に前記機能ボタンが操作されたときに、第２の表示部に表示されている広告情報に関連付けられたページのＵＲＬを記憶部から読み出して、そのＵＲＬにより指定されたページを取得し、取得したページを前記第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【００１６】
また、本発明の携帯端末装置によれば、選択ボタンにより複数種類の広告情報のうちいずれか一つの広告情報が選択されるとその選択された広告情報が表示されるので、ユーザーが希望する広告情報を表示することができる。そして、機能ボタンが操作されたときに、選択された広告情報に関連付けられたページのＵＲＬを記憶部から読み出して、そのＵＲＬにより指定されたページを取得し、取得したページを第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【発明を実施するための最良の形態】
【００１７】
次に、本発明の実施の形態について、図面を参照しながら説明する。
【実施例１】
【００１８】
図１は、実施例１に係る携帯電話機の模式図である。図１に示すように、携帯電話機１は、金属またはプラスチックなどの材料で形成された筐体２に、コンテンツ表示部３ａ、機能情報表示部３ｂ、広告情報表示部３ｃ、および複数の操作ボタン４ａを備えている。コンテンツ表示部３ａには、Ｗｅｂページのコンテンツが表示される。また、機能情報表示部３ｂには、携帯電話機１の機能に関する情報が表示される。例えば、「次のページに移動する」、「前のページに戻る」、または「メニューのうちいずれか一つの項目を決定する」といった機能情報が機能情報表示部３ｂに表示されるのである。これらの機能情報は、機能ボタン４ｂに対応付けられており、機能ボタン４ｂを操作することによって、表示されている機能情報に基づく機能が発揮される。
【００１９】
広告情報表示部３ｃには、文字、図形、記号、またはこれらの結合から構成される広告情報が表示される。この広告情報表示部３ｃは、機能情報を表示するために割り当てられている領域に含まれている。従って、コンテンツ表示部３ａに表示されているページをスクロールしても広告情報表示部３ｃの表示が消えることは無い。その結果、広告情報表示部３ｃの表示内容は、常にユーザーの目に触れることとなる。広告情報表示部３ｃは、機能ボタン４ｃに対応付けられている。この機能ボタン４ｃを操作することによって、その広告情報に関連するページが取得され、コンテンツ表示部３ａに表示される。
【００２０】
また、携帯電話機１は、電話機としての音声情報を出力するスピーカ５と、ユーザーの音声を入力するマイク６と、無線信号を送信または受信するためのアンテナ７と、を備えている。
【００２１】
図２は、実施例１に係る携帯電話機の電気的構成を示すブロック図である。制御部２０は、携帯電話機１におけるデータの入力および出力、プログラムの実行、および各構成要素（２１〜２７）の動作を制御する。また、制御部２０は、内部クロックを有しており、時間管理を行なう。また、制御部２０は、制御バス２０ａを介して各構成要素とデータの授受を行なう。そして、制御部２０は、通信インタフェース２１が受信したデータをメモリ２２に記憶する。メモリ２２は、プログラムやデータを記憶し、制御部２０からの要求に応じて、記憶しているプログラムやデータを出力する。また、メモリ２２は、広告情報表示部３ｃに表示する広告情報、およびその広告情報に関連付けられたページのＵＲＬを記憶する。通信インタフェース２１は、無線通信を行なってデータの送信および受信を行なう。入力ユニット２３は、操作ボタン４ａ、機能ボタン４ｂおよび４ｃやマイク６を有し、操作ボタン４ａなどからの信号の入力や、マイク６からの音声信号の入力を受け付ける。電力供給部２４は、例えば、バッテリを有し、各構成要素へ電力を供給する。データ入出力インタフェース２５は、端部に接続端子を有しており、コンピュータなどの情報端末装置と接続されることによってデータの入力および出力を行なう。音声出力部２６は、スピーカ５を有し、音声データを可聴音として出力する。画像表示部２７は、例えば、液晶ディスプレイにより構成され、コンテンツ表示部３ａ、機能情報表示部３ｂおよび広告情報表示部３ｃを備えている。そして、画像データや文字データを表示する。
【００２２】
コンテンツ表示部３ａは第１の表示部を構成し、機能情報表示部３ｂおよび広告情報表示部３ｃは第２の表示部を構成する。また、操作ボタン４ａ、機能ボタン４ｂおよび４ｃは操作部を構成し、メモリ２２は記憶部を構成する。また、通信インタフェース２１は通信部を構成する。
【００２３】
図３は、コンテンツの記述の例を示す図である。図３において、＜ｈｔｍｌ＞の行から８行目および９行目に、＜ｗｍｌ：ｄｏ  ｔｙｐｅ＝“ｏｐｔｉｏｎ１”ｌａｂｅｌ＝“・登録”＞、および＜ｗｍｌ：ｇｏ  ｈｒｅｆ＝“ｄｅｖｉｃｅ：ｈｏｍｅ／ｂｏｏｋｍａｒｋ？ｕｒｌ＝ｈｔｔｐ：／／ｆｒｏｕｔｅ．ｊｐ／？ｂｏｏｋ＆ｔｉｔｌｅ＝Ｆ＊ＲＯＵＴＥ”／＞、という記述がある。これは、機能ボタンを制御する場合に使用するタグである。本発明者は、上記の記述の中で、「“・登録”」という部分に、例えば、絵文字などのデータを貼り付けることによって、その絵文字と機能ボタンとを対応付けることができることを見出した。その結果、上記の部分に、広告情報を貼り付けると、機能ボタンを操作することによってその広告情報と関連するＵＲＬのページにジャンプすることが可能となる。そのページのＵＲＬを指定する際には、図３における９行目中、“ｄｅｖｉｃｅ：ｈｏｍｅ／ｂｏｏｋｍａｒｋ？ｕｒｌ＝ｈｔｔｐ：／／ｆｒｏｕｔｅ．ｊｐ／？ｂｏｏｋ＆ｔｉｔｌｅ＝Ｆ＊ＲＯＵＴＥ”の部分にＨＴＭＬの記述を行なう。
【００２４】
次に、以上のように構成された実施例１に係る携帯電話機の動作について説明する。図４は、実施例１に係る携帯電話機の動作を示すフローチャートである。まず、図１に示すように、コンテンツ表示部３ａには、例えば、飲食に関係するページが表示されているものとする。携帯電話機１は、メモリ２２から広告情報を読み出す（ステップＳ１）。この広告情報は、例えば、全角で３文字の情報が用いられる。また、半角カナ文字や半角英数字も使用可能である。次に、広告情報表示部３ｃにメモリ２２から読み出された広告情報を表示する（ステップＳ２）。このとき、図１に示すように、例えば、広告情報表示部３ｃに、携帯電話機１に着信があったときに鳴動させる音声を「着信メロディー」として提供するページの広告情報を表示する。
【００２５】
そして、機能ボタン４ｃが操作されたかどうかを判断する（ステップＳ３）。機能ボタン４ｃが操作されていない場合は、この判断を繰り返す。一方、機能ボタン４ｃが操作された場合は、広告情報に関連付けられたＵＲＬをメモリ２２から読み出し、無線通信を行なって、そのページにジャンプし、そのページを取得する（ステップＳ４）。最後に、取得したページをコンテンツ表示部３ａに表示する（ステップＳ５）。このとき、コンテンツ表示部３ａには、図５に示すようなページが表示される。
【００２６】
このように、実施例１に係る携帯電話機によれば、本来機能情報を表示する領域を、広告情報表示部３ｃとして用い、機能情報に代えて広告情報を表示するので、常に広告情報がユーザーの目に触れることとなる。そして、機能ボタン４ｃが操作されたときに、広告情報に関連付けられたページのＵＲＬをメモリ２２から読み出して、そのＵＲＬにより指定されたページを取得し、取得したページをコンテンツ表示部３ａに表示するので、その広告情報に関連するページを容易に表示されることが可能となる。これにより、ユーザーに対して容易に広告情報に関連するページを閲覧させることができる。その結果、広告・宣伝効果を高めることが可能となる。
【実施例２】
【００２７】
実施例２に係る携帯電話機は、基本構成は実施例１に係る携帯電話機と同様であるが、メモリ２２に複数種類の広告情報、および各広告情報にそれぞれ関連付けられたページのＵＲＬを記憶する。そして、広告情報表示部３ｃは、内部クロックを有する制御部２０の制御を受けながら、メモリ２２に記憶されている各広告情報を一定の時間間隔をおいて一つずつ順に表示するのである。一定の時間間隔は、任意に設定することができるものとし、例えば、１０秒毎、１時間毎、１日毎、または１週間毎とする。
【００２８】
そして、広告情報表示部３ｃがいずれか一つの広告情報を表示している最中に、機能ボタン４ｃが操作されたときに、通信インタフェース２１が広告情報表示部３ｃに表示されている広告情報に関連付けられたページのＵＲＬをメモリ２２から読み出して、そのＵＲＬにより指定されたページを取得する。そして、コンテンツ表示部３ａは、取得したページを表示するのである。
【００２９】
このように、実施例２に係る携帯電話機によれば、機能情報に代えて、メモリ２２に記憶されている各広告情報を一定の時間間隔をおいて一つずつ順に表示するので、多くの広告情報を表示することが可能となる。また、いずれか一つの広告情報を表示している最中に機能ボタン４ｃが操作されたときに、広告情報表示部３ｃに表示されている広告情報に関連付けられたページのＵＲＬをメモリ２２から読み出して、そのＵＲＬにより指定されたページを取得し、取得したページをコンテンツ表示部３ａに表示するので、その広告情報に関連するページを容易に表示されることが可能となる。これにより、ユーザーに対して容易に広告情報に関連するページを閲覧させることができる。その結果、広告・宣伝効果を高めることが可能となる。
【実施例３】
【００３０】
実施例３に係る携帯電話機は、基本構成は実施例１に係る携帯電話機と同様である。ただし、実施例３に係る携帯電話機は、メモリ２２に複数種類の広告情報、および各広告情報にそれぞれ関連付けられたページのＵＲＬを記憶しており、それらの複数種類の広告情報のうちいずれか一つの広告情報を選択する選択ボタンを有している。すなわち、選択ボタンを操作することによって、広告情報表示部３ｃに表示される広告情報が切り替わるのである。選択ボタンは、機能ボタン４ｂのうち、いずれか一つを割り当てることとする。
【００３１】
広告情報表示部３ｃは、機能情報に代えて、選択ボタンにより選択された広告情報を表示する。そして、機能ボタン４ｃが操作されたときに、通信インタフェース２１が無線通信を行なって、選択された広告情報に関連付けられたページのＵＲＬをメモリ２２から読み出して、そのＵＲＬにより指定されたページを取得する。コンテンツ表示部３ａは、取得したページを表示する。
【００３２】
このように、実施例３に係る携帯電話機によれば、選択ボタンにより複数種類の広告情報のうちいずれか一つの広告情報が選択されるとその選択された広告情報が表示されるので、ユーザーが希望する広告情報を表示することができる。そして、機能ボタンが操作されたときに、選択された広告情報に関連付けられたページのＵＲＬを記憶部から読み出して、そのＵＲＬにより指定されたページを取得し、取得したページを第１の表示部に表示するので、その広告情報に関連するページを容易に表示されることが可能となる。これにより、ユーザーに対して容易に広告情報に関連するページを閲覧させることができる。その結果、広告・宣伝効果を高めることが可能となる。
【図面の簡単な説明】
【００３３】
【図１】実施例１に係る携帯電話機の模式図である。
【図２】実施例１に係る携帯電話機の電気的構成を示すブロック図である。
【図３】コンテンツの記述の例を示す図である。
【図４】実施例１に係る携帯電話機の動作を示すフローチャートである。
【図５】実施例１に係る携帯電話機の模式図である。
【符号の説明】
【００３４】
１  携帯電話機
２  筐体
３ａ  コンテンツ表示部
３ｂ  機能情報表示部
３ｃ  広告情報表示部
４ａ  操作ボタン
４ｂ  機能ボタン
４ｃ  機能ボタン
５  スピーカ
６  マイク
７  アンテナ
２０  制御部
２０ａ  制御バス
２１  通信インタフェース
２２  メモリ
２３  入力ユニット
２４  電力供給部
２５  データ入出力インタフェース
２６  音声出力部
２７  画像表示部
【図１】
2005167878.tif 000003
【図２】
2005167878.tif 000004
【図３】
2005167878.tif 000005
【図４】
2005167878.tif 000006
【図５】
2005167878.tif 000007